(57)【要約】【課題】  目的の機器とのリンクの確立を迅速に行うことができる通信装置を提供する。【解決手段】  周辺の複数の機器とＢｌｕｅｔｏｏｔｈ（登録商標）規格による無線通信を行う通信部と、通信部を用いて複数の機器のデバイス名を含む情報を収集し、予め与えられたデバイス名が収集したデバイス名の中に存在すればそのデバイス名の機器を他の機器に優先して、当該機器が行うサービスの検索を行い、この検索結果に基づいて当該機器と通信リンクを確立する制御部を有する通信装置。【選択図】図１
2012004909.tif 000002
【特許請求の範囲】
【請求項１】
周辺の複数の機器とＢｌｕｅｔｏｏｔｈ（登録商標）規格による無線通信を行う通信部と、
前記通信部を用いて前記複数の機器のデバイス名を含む情報を収集し、予め与えられたデバイス名が前記収集したデバイス名の中に存在すればそのデバイス名の機器を他の機器に優先して、当該機器が行うサービスの検索を行い、この検索結果に基づいて当該機器と通信リンクを確立する制御部と、を具備することを特徴とする通信装置。
【発明の詳細な説明】
【技術分野】
【０００１】
この発明は、Ｂｌｕｅｔｏｏｔｈ（登録商標）による無線通信を行なう通信装置に関し、特に、他の機器と迅速にリンクの確立を行う通信装置に関する。
【背景技術】
【０００２】
最近、例えば、Ｂｌｕｅｔｏｏｔｈ（登録商標）等のような近距離無線通信技術を用いたデジタル無線システムが利用され普及している。このような近距離無線通信システムにおいては、通信範囲内に複数の機器が存在すると、リンクを確立させるまでに時間がかかる場合がある。
【０００３】
特許文献１は、Ｂｌｕｅｔｏｏｔｈ（登録商標）を用いた機器により現在位置情報を取得できるデジタル無線システムを提供する。
【先行技術文献】
【特許文献】
【０００４】
【特許文献１】特開２００９−０６５５４９号公報
【発明の概要】
【発明が解決しようとする課題】
【０００５】
Ｂｌｕｅｔｏｏｔｈ（登録商標）機能を搭載した通信装置が、複数の機器の中から所望の機器とリンクを確立する際に、通信可能な機器の全てに対して、その機器が扱うサービス内容を検討する処理であるサービス検索を行うと、目的の機器とリンクが確立するまでに１分近く時間がかかるという場合がある。これは、複数の機器に関して、比較的時間がかかるとされるサービス検索をデバイスが認識された順番に行うことが原因であるが、このような課題について、特許文献１はなにも解決策を提供してはいない。
【０００６】
本発明は、目的の機器とのリンクの確立を迅速に行うことができる通信装置を提供することを目的とする。
【課題を解決するための手段】
【０００７】
課題を解決するための一実施形態は、
周辺の複数の機器とＢｌｕｅｔｏｏｔｈ（登録商標）規格による無線通信を行う通信部と、
前記通信部を用いて前記複数の機器のデバイス名を含む情報を収集し、予め与えられたデバイス名が前記収集したデバイス名の中に存在すればそのデバイス名の機器を他の機器に優先して、当該機器が行うサービスの検索を行い、この検索結果に基づいて当該機器と通信リンクを確立する制御部と、を具備することを特徴とする通信装置である。
【発明の効果】
【０００８】
デバイス名に基づいて、目的の通信装置のサービス検索を、目的以外の通信装置のサービス検索よりも優先して行うことにより、目的の通信装置と迅速にリンクを確立することができる。
【図面の簡単な説明】
【０００９】
【図１】本発明の一実施形態に係る通信システムの構成の一例を示す説明図。
【図２】本発明の一実施形態に係る通信装置の構成の一例を示すブロック図。
【図３】同じく通信装置のペアリング処理の一例を示すフローチャート。
【図４】同じく通信装置のＢｌｕｅｔｏｏｔｈ（登録商標）デバイスリストおよび優先デバイス名の一例を示す説明図。
【図５】同じく通信装置の優先デバイスクラスおよびサービス名リストの一例を示す説明図。
【発明を実施するための形態】
【００１０】
以下、この発明の実施の形態について図面を参照して詳細に説明する。  
図１は、本発明の一実施形態に係る通信システムの構成の一例を示す説明図、図２は、同じく通信装置の構成の一例を示すブロック図である。本発明の一実施形態に係る通信装置１１は、図１に示すように、複数の携帯電話１４，１６，１７や、カーナビゲーション装置１３、ノートＰＣ１５等のＢｌｕｅｔｏｏｔｈ（登録商標）規格の無線通信が可能な装置と無線通信を行なう。ここで、本発明の一実施形態に係る通信装置１１は、図１に示すように、ＵＳＢ（登録商標）コネクタ等で携帯電話１２に接続可能な通信アダプタ装置であるが、これに限定されるものではなく、例えば、携帯電話１２に内蔵される通信機能であってもよく、また、他の形態の通信装置であってもよい。
【００１１】
通信装置１１は、図２に示すように、Ｂｌｕｅｔｏｏｔｈ（登録商標）規格の無線通信を行うＢｌｕｅｔｏｏｔｈ（登録商標）通信部２１と、デバイス名優先処理を伴うサービス検索および全体の制御を行う制御部２２と、制御情報等を記憶する記憶部２３と、携帯電話１２等の外部装置と接続するＵＳＢ（登録商標）通信部２４を有している。
【００１２】
このような構成をもつ通信装置１１は、以下のような手順で、デバイス名に基づく優先処理に従ったサービス検索を行う。図３は、通信装置のペアリング処理の一例を示すフローチャートである。通信装置１１の制御部２２は、Ｂｌｕｅｔｏｏｔｈ（登録商標）通信部２１を用いて、周辺の機器、すなわち、図１の携帯電話１４，１６，１７や、カーナビゲーション装置１３、ノートＰＣ１５と通信を行ない、この通信結果に基づいて、図４の（ａ）に示すような『Ｂｌｕｅｔｏｏｔｈ（登録商標）デバイスリスト』を作成して記憶部２３に格納する（ステップＳ１１）。次に、制御部２２は、予め記憶部２３に格納している図４の（ｂ）の『優先デバイス名』と、作成した図４の（ａ）の『Ｂｌｕｅｔｏｏｔｈ（登録商標）デバイスリスト』とを比較して、『優先デバイス名』中のデバイス名が『Ｂｌｕｅｔｏｏｔｈ（登録商標）デバイスリスト』に存在するかどうかを判断する（ステップＳ１２）。ここで、『ＮＶＨ−５００』のようにデバイス名が存在すれば、制御部２２は、『Ｂｌｕｅｔｏｏｔｈ（登録商標）デバイスリスト』の該当機器をここでは３番目から先頭に入れ替える（ステップＳ１３）。また、制御部２２は、デバイス名が存在しなければステップＳ１４に進む。
【００１３】
さらに、制御部２２は、『Ｂｌｕｅｔｏｏｔｈ（登録商標）デバイスリスト』の中に図５の（ａ）の『優先デバイスクラス』で消去を指示するデバイスクラスが存在するかどうかを判断する（ステップＳ１４）。制御部２２は、デバイスクラスが存在すると判断すると、『Ｂｌｕｅｔｏｏｔｈ（登録商標）デバイスリスト』中に存在する、『優先デバイスクラス』で消去を指示するデバイスクラスをもつデバイス名を消去する（ステップＳ１５）。たとえば、図５の（ａ）の『優先デバイスクラス』において、『セルラーフォン』、『オーディオ機器』は、それぞれ、消去すべきデバイスクラスであることを意味しているので、図４の（ａ）の『Ｂｌｕｅｔｏｏｔｈ（登録商標）デバイスリスト』において、『セルラーフォン』のデバイスクラスをもったデバイス名『ＳＨ−０８Ｂ』と、デバイス名『ＳＨ−０２Ｂ』と、デバイス名『ＳＨ−０６Ｂ』は、『Ｂｌｕｅｔｏｏｔｈ（登録商標）デバイスリスト』から消去する。また、制御部２２は、『Ｂｌｕｅｔｏｏｔｈ（登録商標）デバイスリスト』の中に図５の（ａ）の『優先デバイスクラス』で消去を指示するデバイスクラスが存在しないと判断すれば、ステップＳ１６に進む。
【００１４】
次に、制御部２２は、『Ｂｌｕｅｔｏｏｔｈ（登録商標）デバイスリスト』の順序で、図５の（ｂ）に示す『サービス名リスト』に基づいてサービス検索を行う（ステップＳ１６）。すなわち、ステップＳ１２において、『優先デバイス名』に従って、優先順位を第１とするべく『Ｂｌｕｅｔｏｏｔｈ（登録商標）デバイスリスト』において先頭とされた機器について、優先的にサービス検索を実施する。ここで、サービス検索とは、その機器、例えば、デバイス名『ＮＶＨ−５００』のカーナビゲーション装置では、『ハンズフリープロファイル』と『オブジェクトプッシュプロファイル』というサービスを備えているが、通信装置１１の制御部２２は、図５の（ｂ）の記憶部２３で予め格納された『サービス名リスト』において、対象の機器が『ハンズフリープロファイル』または『オブジェクトプッシュプロファイル』というサービスを備えているかどうかを判断する。制御部２２が、デバイス名『ＮＶＨ−５００』のカーナビゲーション装置が『サービス名リスト』で希望したサービスを備えていると判断すると、次に、そのサービス名に対応している機器とリンクを確立する（ステップＳ１７）。これにより、迅速なリンクの確立が可能となる。
【００１５】
すなわち、各機器のサービス検索処理は、サービスの種類が非常に多いので、比較的時間がかかる処理である。従って、最終的にリンクを確立する対象ではない機器について、サービス検索を行う時間は、リンクまでの待ち時間を長期化させる原因となる。一例として、複数台の機器を対象に、図４の（ａ）の『優先デバイス名』を用いた優先処理を実施しなかった場合は、リンクまでの待ち時間が約４０〜５０秒かかったのに較べ、『優先デバイス名』を用いた優先処理を実施した場合は、約２０〜３０秒に短縮された。
【００１６】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００１７】
１１…通信装置、１２…携帯電話、１３…カーナビゲーション装置、１４…携帯電話、１５…ノートパソコン、１６，１７…携帯電話。
【図１】
2012004909.tif 000003
【図２】
2012004909.tif 000004
【図３】
2012004909.tif 000005
【図４】
2012004909.tif 000006
【図５】
2012004909.tif 000007